(57)【要約】【課題】  便と給水装置の液体が外部へ漏れ出ることなく排出処置して衛生的に廃棄できる排便器具を提供する。【解決手段】  直腸に挿入して便を取り込む筒体４の外周に肛門及びその周囲を覆う面積の防水性のシート２を水密状に取り付け、同シート２の肌面側の肛門周囲位置に肛門を囲むように配置される吸収パッド３を取り付け、筒体４を通じて直腸内に液体を噴水する給水装置５の給水チューブ５ａを筒体４とシート２の肌面側とは反対側で脱着自在に接続し、直腸内の便と液体を吸引により筒体４内に取り込んで排出する吸引装置６の吸引チューブ６ａを筒体４とシート２の肌面側とは反対側で脱着自在に接続した。【選択図】図１
2006223623.tif 000002
【特許請求の範囲】
【請求項１】
直腸に挿入する筒体に便を先端から取り込んで排出する排出路を形成し、筒体の先端に液体を直腸へ噴水するノズルを形成し、同ノズルに液体を給水する給水路を筒体に形成し、筒体の外周に肛門及びその周囲を覆う面積の防水性のシートを水密状に取り付け、同シートの肌面側の肛門周囲位置に肛門を囲むように配置される吸収パッドを取り付け、液体の給水装置の給水チューブと筒体の給水路をシートの肌面側の反対側で脱着自在に接続し、直腸内の便と液体を吸引により筒体内に取り込んで排出する吸引装置の吸引チューブと筒体の排出路をシートの肌面側の反対側で脱着自在に接続した排便器具。
【請求項２】
筒体の外周にガイド筒を水密状且つ進退自在に挿入し、同ガイド筒で肛門を拡張した状態で筒体を進退させて直腸内の奥部の便を排出できるようにした請求項１記載の排便器具。
【請求項３】
直腸に挿入する筒体に便を先端から取り込んで排出する排出路を形成し、筒体の先端に液体を直腸へ噴水するノズルを形成し、同ノズルに液体を給水する給水路を筒体に形成し、筒体の外周に肛門を拡張した状態で筒体を進退させるガイド筒を水密状且つ進退自在に挿入し、同ガイド筒の外周に肛門及びその周囲を覆う面積の防水性のシートを水密状に取り付け、同シートの肌面側の肛門周囲位置又はガイド筒の肛門周囲位置に肛門を囲むように配置される吸収パッドを取り付け、液体の給水装置の給水チューブと筒体の給水路をシートの肌面側の反対側で脱着自在に接続し、直腸内の便と液体を吸引により筒体内に取り込んで排出する吸引装置の吸引チューブと筒体の排出路をシートの肌面側の反対側で脱着自在に接続した排便器具。
【請求項４】
筒体の後部に給水装置と吸引装置の各チューブを取り外した穴を閉塞するキャップを設けた請求項１〜３いずれか記載の排便器具。
【請求項５】
シートの肌面側にシート又は吸収パッドを肌面に密着させる剥離紙付きの粘着層を取り付けた請求項１〜４いずれか記載の排便器具。
【請求項６】
シートの肌面側とは反対側の面にシート又は吸収パッドを肌面に密接してシールする押え手段を備えた請求項１〜４いずれか記載の排便器具。
【請求項７】
押え手段が、筒体を囲む環状の押え部材である請求項６記載の排便器具。
【請求項８】
押え手段が、一部を開放した変形可能なＵ字状の押え部材であって、シートを上側にして置いた押え部材上に被処置者を座らせて体重と押え部材の変形でシートを肌面に密接させ、押え部材のＵ字状の開放部分から筒体を通じて便を排出するようにした請求項５記載の排便器具。
【請求項９】
押え部材がエアチューブで構成されたものである請求項７又は８記載の排便器具。
【請求項１０】
シートの肌面側の外周部に筒体の前方を閉塞する剥離紙付きの閉塞粘着部を設けた請求項１〜９いずれか記載の排便器具。
【請求項１１】
シートの閉塞粘着部の内側に吸収性の拭取パッドを取り付けた請求項１０記載の排便器具。
【請求項１２】
拭取パッドに消毒・消臭・抗菌のいずれかの薬剤を浸漬させた請求項１１記載の排便器具。
【請求項１３】
シートを不透明な材料で構成し、肌面が見えないようにした請求項１〜１２いずれか記載の排便器具。
【発明の詳細な説明】
【技術分野】
【０００１】
本発明は、自力で排便できない人の便を容易な操作で強制的に排出できるようにする排便器具に関する。
【背景技術】
【０００２】
従来、排便器具としては、肛門から挿入される筒体に同筒体の先端から直腸内へ温水等の液体を噴水する給水装置を接続し、同液体により軟化した便を吸引力により筒体内に取り込んで外部へ排出する吸引ポンプを筒体に接続した構造のものが提案されている（特許文献１参照）。
【０００３】
ところで、前記技術の排便器具では、筒体をバルーンで肛門に保持しているのみであるから、便の排出処置中に便及び液体が外部へ漏れ出ることがあった。また、排出処置後に筒体を廃棄するが、封入する袋等を別途用意する必要があり、不衛生であった。本発明はそのような事情に鑑みて成されたものである。
【特許文献１】特開２００１−１３７３３３号公報
【発明の開示】
【発明が解決しようとする課題】
【０００４】
本発明が解決しようとする課題は、従来のこれらの問題点を解消し、便と給水装置の液体が外部へ漏れ出ることなく排出処置して衛生的に廃棄できる排便器具を提供することにある。
【課題を解決するための手段】
【０００５】
かかる課題を解決した本発明の構成は、
１）  直腸に挿入する筒体に便を先端から取り込んで排出する排出路を形成し、筒体の先端に液体を直腸へ噴水するノズルを形成し、同ノズルに液体を給水する給水路を筒体に形成し、筒体の外周に肛門及びその周囲を覆う面積の防水性のシートを水密状に取り付け、同シートの肌面側の肛門周囲位置に肛門を囲むように配置される吸収パッドを取り付け、液体の給水装置の給水チューブと筒体の給水路をシートの肌面側の反対側で脱着自在に接続し、直腸内の便と液体を吸引により筒体内に取り込んで排出する吸引装置の吸引チューブと筒体の排出路をシートの肌面側の反対側で脱着自在に接続した排便器具
２）  筒体の外周にガイド筒を水密状且つ進退自在に挿入し、同ガイド筒で肛門を拡張した状態で筒体を進退させて直腸内の奥部の便を排出できるようにした前記１）記載の排便器具
３）  直腸に挿入する筒体に便を先端から取り込んで排出する排出路を形成し、筒体の先端に液体を直腸へ噴水するノズルを形成し、同ノズルに液体を給水する給水路を筒体に形成し、筒体の外周に肛門を拡張した状態で筒体を進退させるガイド筒を水密状且つ進退自在に挿入し、同ガイド筒の外周に肛門及びその周囲を覆う面積の防水性のシートを水密状に取り付け、同シートの肌面側の肛門周囲位置又はガイド筒の肛門周囲位置に肛門を囲むように配置される吸収パッドを取り付け、液体の給水装置の給水チューブと筒体の給水路をシートの肌面側の反対側で脱着自在に接続し、直腸内の便と液体を吸引により筒体内に取り込んで排出する吸引装置の吸引チューブと筒体の排出路をシートの肌面側の反対側で脱着自在に接続した排便器具
４）  筒体の後部に給水装置と吸引装置の各チューブを取り外した穴を閉塞するキャップを設けた前記１）〜３）いずれか記載の排便器具
５）  シートの肌面側にシート又は吸収パッドを肌面に密着させる剥離紙付きの粘着層を取り付けた前記１）〜４）いずれか記載の排便器具
６）  シートの肌面側とは反対側の面にシート又は吸収パッドを肌面に密接してシールする押え手段を備えた前記１）〜４）いずれか記載の排便器具
７）  押え手段が、筒体を囲む環状の押え部材である前記６）記載の排便器具
８）  押え手段が、一部を開放した変形可能なＵ字状の押え部材であって、シートを上側にして置いた押え部材上に被処置者を座らせて体重と押え部材の変形でシートを肌面に密接させ、押え部材のＵ字状の開放部分から筒体を通じて便を排出するようにした前記５）記載の排便器具
９）  押え部材がエアチューブで構成されたものである前記７）又は８）記載の排便器具
１０）  シートの肌面側の外周部に筒体の前方を閉塞する剥離紙付きの閉塞粘着部を設けた前記１）〜９）いずれか記載の排便器具
１１）  シートの閉塞粘着部の内側に吸収性の拭取パッドを取り付けた前記１０）記載の排便器具
１２）  拭取パッドに消毒・消臭・抗菌のいずれかの薬剤を浸漬させた前記１１）記載の排便器具
１３）  シートを不透明な材料で構成し、肌面が見えないようにした前記１）〜１２）いずれか記載の排便器具
にある。
【発明の効果】
【０００６】
本発明によれば、筒体を囲むように配置したシートと吸収パッドを肌面に密接しているから、排出処置中に便や給水装置の液体が外部へ漏れ出ることがなく、排出処置後は肌面から外したシートで筒体を直に被覆できるから臭気が外部へ漏れ難く、衛生的に廃棄処分できる。
【発明を実施するための最良の形態】
【０００７】
本発明のシートとしては、ポリエチレン，ポリプロピレン等の可撓性を有する合成樹脂シートなど便や液体や臭気が外部へ漏れ出ない防水性で且つ不透明でしかも廃棄時に環境に影響を与えないものが望ましく、シートは下腹部から臀部に渡って拡幅して局部を隠蔽できるようにし、被処置者に配慮する。
【０００８】
押え手段としては、エアチューブ・スポンジ・ゴム等の弾性を有するものや肌面の形状に合わせて成形したプラスチック等の硬質のものが用いられ、筒体を囲むように環状や一部を開放したＵ字状に形成する。押え部材には把手を形成して取り扱いを容易にしたり、吸収パッドを肌面に押圧する押付部を形成してもよい。以下、本発明の各実施例を図面に基づいて具体的に説明する。
【実施例１】
【０００９】
図１〜３に示す実施例１は単筒の筒体を用いた例である。図１は実施例１の排便器具の正面図、図２は図１のＡ−Ａ断面図、図３は実施例１の排便器具の使用状態を示す説明図である。図中、１は排便器具、２はシート、２ａは張出部、３は吸収パッド、４は筒体、４ａは排出路、４ｂはノズル、４ｃは給水路、４ｄは接続部、４ｅはコーン、４ｆはキャップ、５は給水装置、５ａは給水チューブ、５ｂは給水ポンプ、５ｃはバルブ、６は吸引装置、６ａは吸引チューブ、６ｂは吸引ポンプ、６ｃは回収槽、７は粘着層、７ａは剥離紙、８は拭取パッド、９は閉塞粘着部、９ａは剥離紙、１０は付着層、１０ａは剥離紙、Ｂは便、Ｈは直腸、Ｗは温水である。
【００１０】
実施例１の排便器具１は、図１，２に示すようにポリエチレンからなる着色不透明のシート２を被処置者の肛門及びその周囲を覆う面積に形成し、同シート２の肌面側の肛門周囲位置に肛門を囲むように配置される環状の吸収パッド３を取り付け、同吸収パッド３で囲まれたシート２部分に硬質プラスチックからなる所定長さの筒体４を貫通させて水密状に固着し、筒体４の先端に挿入時の痛みを軽減する水溶性のコーン４ｅを取り付けている。
【００１１】
筒体４の内部には、先端から取り込んだ便Ｂを後方へ送る排出路４ａを形成し、同排出路４ａと並行してノズル４ｂから噴水させる温水Ｗを送るための給水路４ｃを複数本形成し、筒体４の後部には排出路４ａと給水路４ｃに吸引装置６の吸引チューブ６ａと給水装置５の給水チューブ５ａを脱着自在に接続する接続部４ｄを設け、接続部４ｄに吸引チューブ６ａと給水チューブ５ａを取り外した後の穴を閉塞するキャップ４ｆを設けている。
【００１２】
シート２の肌面側の吸収パッド３の外周部には剥離紙７ａを備えた粘着層７を取り付け、その外周部には使用後に筒体２の先端部を覆うように閉塞する剥離紙９ａを備えた環状の閉塞粘着部９を取り付け、同閉塞粘着部９の内側に消毒液を浸漬した吸収性の拭取パッド８を取り付け、シート２の肌面側の下腹部と臀部の位置に剥離紙１０ａを備えた弱粘着力の付着層１０を取り付けている。
【００１３】
実施例１では、まず被処置者の肛門に必要に応じて潤滑クリーム等を塗布して滑り易くした後、図３（ａ）に示すように筒体４の先端を肛門に挿入してコーン４ｅを腸液で溶解し、剥離紙７ａを剥離した粘着層７でシート２を肌面に付着して吸収パッド３を肌面に密接し、剥離紙１０ａを剥離した付着層１０を下腹部と臀部に付着してシート２を固定し、給水装置５の給水チューブ５ａと吸引装置６の吸引チューブ６ａを接続部４ｄに接続して作動させる。
【００１４】
温水Ｗは給水チューブ５ａから筒体４の給水路４ｃを通じてノズル４ｂから直腸Ｈ内に噴水され、直腸Ｈ内の便Ｂが徐々に軟化する。軟化した便Ｂは吸引ポンプ６ｂの吸引力により筒体２の先端から少しずつ取り込まれ、排出路４ａと吸引チューブ６ａを通じて回収槽６ｃに回収される。肛門から漏れ出た便Ｂや温水Ｗは吸収パッド３に吸収されて外部へ漏れ出ることはない。直腸の奥部は筒体４をシート２の余裕部分で奥部に挿入して処置する。
【００１５】
便Ｂの排出が終了すると、給水装置５と吸引装置６を停止し、図３（ｂ）に示すように給水チューブ５ａと吸引チューブ６ａを取り外して筒体４の後端をキャップ４ｆで閉塞し、粘着層７を肌面から剥離してシート２と筒体４を脱離し、肛門やその周囲の汚れを拭取パッド８で拭き取り、剥離紙９ａを剥離した閉塞粘着部９で筒体４の前方を閉塞して焼却等により処分し、回収槽６ｃに回収した便Ｂと温水Ｗを廃棄する。このように実施例１によれば便Ｂと温水Ｗが外部へ漏れ出ることなく排出処置し、処分時も筒体４をシート２で覆って閉塞するから衛生的に行える。
【実施例２】
【００１６】
図４，５に示す実施例２は筒体をガイド筒に挿入した排便器具の例である。図４は実施例２の排便器具の横断面図、図５は実施例２の排便器具の使用状態を示す説明図である。図中、４ｇはガイド筒、４ｈはシール部、１１はバルーン、１１ａは送気チューブ、１２は押え部材である。
【００１７】
実施例２の排便器具１は、図４に示すように筒体４を短いガイド筒４ｇにシール部４ｈを介して水密状且つ進退自在に挿入し、ガイド筒４ｇの外周に送気チューブ１１ａで膨縮させる一対のバルーン１１を取り付け、シート２の肌面側とは反対側にエアチューブからなる環状の押え部材１２を筒体４を囲むように配置している。また、粘着層７は省略している。
【００１８】
実施例２では、図５に示すように処置者が押え部材１２でシート２を肌面に押えつけて密接し、送気チューブ１１ａでバルーン１１を膨張させてガイド筒４ｇを肛門に固定し、この状態で便Ｂの排出操作を行う。直腸の奥部の便Ｂの排出は筒体４を前方へスライドさせて行う。従って、処置後のシート２の脱離時に粘着層により肌面を傷めることがなく、押え部材１２は再利用でき、粘着層を用いないから排便器具１を低コストで製造できる。また、直腸の奥部の便Ｂの排出時は筒体４のスライドがガイド筒４ｇにより円滑に行え、処置が容易になる。その符号、構成は実施例１と同じである。
【００１９】
図６，７に示すのは、Ｕ字状の押え部材を用いた実施例２の排便器具の他の例である。図６は実施例２の他の例の排便器具の背面図、図７は実施例２の排便器具の使用状態を示す説明図である。図６に示すように押え部材１２が一部を開放したＵ字状に形成されている。図７に示すように台（図示せず）の上に押え部材１２・シート２の順に重ね置き、被処置者を肛門周囲の肌面に吸収パッド３が配置されるようにシート２上に座らせ、被処置者の体重と押え部材１２の変形でシート２を肌面に密接し、押え部材１２の開放部分から筒体４で便Ｂを排出処置する。その他、符号、構成は実施例２と同じである。
【００２０】
図８，９に示すのは、筒体にシートを取り付け、ガイド筒に吸収パッドを備えた実施例２の排便器具の他の例である。図８は実施例２の他の例の排便器具の縦断面図、図９は実施例２の他の例の排便器具の使用状態を示す説明図である。図中、４ｉは押付部である。図８に示すように、筒体４の後部にシート２を水密状に取り付け、ガイド筒４ｇの後端を拡径して吸収パッド３を肌面に押し付ける押付部４ｉを形成し、同押付部４ｉに吸収パッド３を直接取り付けている。図９に示すように、ガイド筒４ｇを肛門に挿入して押付部４ｉで吸収パッド３を肌面に密接させ、排出処置を行う。筒体４にシート２を取り付けているから、筒体４をスライドさせても汚れた部分が露出せず、衛生的に処置できる。その他、符号、構成は実施例２と同じである。
【産業上の利用可能性】
【００２１】
本発明の排便器具は、お年寄り，患者，身障者等自力で排便できない人の処置に用いられる。
【図面の簡単な説明】
【００２２】
【図１】実施例１の排便器具の正面図である。
【図２】図１のＡ−Ａ断面図である。
【図３】実施例１の排便器具の使用状態を示す説明図である。
【図４】実施例２の排便器具の横断面図である。
【図５】実施例２の排便器具の使用状態を示す説明図である。
【図６】実施例２の他の例の排便器具の背面図である。
【図７】実施例２の他の例の排便器具の使用状態を示す説明図である。
【図８】実施例２の他の例の排便器具の縦断面図である。
【図９】実施例２の他の例の排便器具の使用状態を示す説明図である。
【符号の説明】
【００２３】
１  排便器具
２  シート
２ａ  張出部
３  吸収パッド
４  筒体
４ａ  排出路
４ｂ  ノズル
４ｃ  給水路
４ｄ  接続部
４ｅ  コーン
４ｆ  キャップ
４ｇ  ガイド筒
４ｈ  シール部
４ｉ  押付部
５  給水装置
５ａ  給水チューブ
５ｂ  給水ポンプ
５ｃ  バルブ
６  吸引装置
６ａ  吸引チューブ
６ｂ  吸引ポンプ
６ｃ  回収槽
７  粘着層
７ａ  剥離紙
８  拭取パッド
９  閉塞粘着部
９ａ  剥離紙
１０  付着層
１０ａ  剥離紙
１１  バルーン
１１ａ  送気チューブ
１２  押え部材
Ｂ  便
Ｈ  直腸
Ｗ  温水
【図１】
2006223623.tif 000003
【図２】
2006223623.tif 000004
【図３】
2006223623.tif 000005
【図４】
2006223623.tif 000006
【図５】
2006223623.tif 000007
【図６】
2006223623.tif 000008
【図７】
2006223623.tif 000009
【図８】
2006223623.tif 000010
【図９】
2006223623.tif 000011